(57)【要約】【課題】  遊動ガイドの装着筒状部の無理な変形や竿杆への傷付けを防止して遊動ガイドの竿杆への装着ができ、実釣時に遊動ガイドが竿杆の周方向に回動するのを防止できる釣竿を提供すること。【解決手段】  釣竿１０の竿杆１２ａには、竿杆に着脱可能に装着される装着筒状部３２を有する遊動釣糸ガイド１８が配設されている。前記遊動釣糸ガイド１８の装着筒状部３２の後方側の開口縁３６ａには切り欠き部３８が設けられている。前記遊動釣糸ガイド１８が装着される竿杆１２ａの所定位置には前記遊動釣糸ガイドの装着筒状部３２の切り欠き部３８に係合する突部２２を設けた。【選択図】    図３
2011010577.tif 000002
【特許請求の範囲】
【請求項１】
竿杆に遊動釣糸ガイドが配設された釣竿であって、
前記遊動釣糸ガイドの装着筒状部の後方側の開口縁に切り欠き部を設けるとともに、
前記遊動釣糸ガイドが装着される竿杆の所定位置に前記遊動釣糸ガイドの装着筒状部の切り欠き部に係合する突部を設けたことを特徴とする釣竿。
【請求項２】
前記切り欠き部は、奥に向かって幅狭に形成されていることを特徴とする請求項１に記載の釣竿。
【請求項３】
前記切り欠き部は、前記竿杆の長手方向軸に対し斜め方向に形成された縁部を有することを特徴とする請求項１又は請求項２に記載の釣竿。
【請求項４】
竿杆に遊動釣糸ガイドが配設された釣竿であって、
前記遊動釣糸ガイドの装着筒状部の後方側の開口縁に突片を設けるとともに、
前記遊動釣糸ガイドが装着される釣竿の所定位置に前記遊動釣糸ガイドの装着筒状部の突片と係合する突部を設けたことを特徴とする釣竿。
【請求項５】
前記突部は、略円形状又は略半球状を有し、
前記突片は、前記突部のうち最も近接する位置を保持するように当接される略円弧状の凹部を有していることを特徴とする請求項４に記載の釣竿。
【請求項６】
前記突片は、前記突部のうち前記開口縁に対して最も近接する位置よりも遠位の位置に当接されていることを特徴とする請求項４に記載の釣竿。
【請求項７】
前記突部は、前記竿杆の外周面に略半球状に突出形成されていることを特徴とする請求項１乃至請求項６のいずれか１つに記載の釣竿。
【発明の詳細な説明】
【技術分野】
【０００１】
この発明は、竿杆に沿って移動する遊動ガイドを有する釣竿に関する。
【背景技術】
【０００２】
従来からガイド付きの振り出し竿などの穂先竿に遊動ガイドが配設されていることがある。これらの遊動ガイドは、遊動ガイドの装着筒状部に竿杆を挿通することで移動可能に取り付けられ、釣竿を使用するときは、遊動ガイドをテーパを有する竿杆の太径部（後端）側に移動させることで保持している。しかし、このような構造では遊動ガイドが竿杆の周方向に回動することがあるため、遊動ガイドの装着筒状部の内周面と釣竿の外周面を非円形にして互いに噛み合わせて回り止めした釣竿が紹介されている。  
例えば特許文献１では、釣竿の外周面にクサビ状の突出部を設け遊動ガイドの装着筒状部の凹状の内周面と嵌合するようにしている。
【先行技術文献】
【特許文献】
【０００３】
【特許文献１】実開昭５２−９５８９４号公報
【発明の概要】
【発明が解決しようとする課題】
【０００４】
ところが、特許文献１に開示された釣竿では、遊動ガイドの装着筒状部の内周面と釣竿の外周面にそれぞれ凹凸が形成されているため遊動ガイドの装着筒状部が癖付けされて変形してしまったり、互いの嵌合面を傷つけやすく、次第に十分な回り止めができなくなる虞がある。すなわち、互いに嵌合する遊動ガイドの装着筒状部の内周面と釣竿の外周面にそれぞれ凹凸を設けて互いの摩擦で遊動ガイドの回り止めをすると、遊動ガイドの装着筒状部が釣竿の外周面の凹凸によって変形してしまったり、互いの嵌合面を傷つけ、次第に十分な回り止めができなくなることがある。
【０００５】
この発明は、このような課題を解決するためになされたものであり、遊動ガイドの装着筒状部の無理な変形や竿杆への傷付けを防止して遊動ガイドを竿杆の所定位置に装着ができ、実釣時に遊動ガイドが竿杆の周方向に回動するのを防止できる釣竿を提供することを目的とする。
【課題を解決するための手段】
【０００６】
上記課題を解決するために、この発明に係る遊動釣糸ガイドが配設された釣竿は、前記遊動釣糸ガイドの装着筒状部の後方側の開口縁に切り欠き部を設けるとともに、前記遊動釣糸ガイドが装着される竿杆の所定位置に前記遊動釣糸ガイドの装着筒状部の切り欠き部に係合する突部を設けたことを特徴とする。  
前記突部は、前記竿杆の外周面に略半球状に突出形成されていることが好ましい。  
前記切り欠き部は、奥に向かって幅狭に形成されていることが好ましい。  
前記切り欠き部は、前記竿杆の長手方向軸に対し斜め方向に形成された縁部を有することが好ましい。
【０００７】
また、上記課題を解決するために、この発明に係る遊動釣糸ガイドが配設された釣竿は、前記遊動釣糸ガイドの装着筒状部の後方側の開口縁に突片を設けるとともに、前記遊動釣糸ガイドが装着される釣竿の所定位置に前記遊動釣糸ガイドの装着筒状部の突片と係合する突部を設けたことを特徴とする。  
前記突部は、略円形状又は略半球状を有し、前記突片は、前記突部のうち最も近接する位置を保持するように当接される略円弧状の凹部を有していることが好ましい。  
前記突片は、前記突部のうち前記開口縁に対して最も近接する位置よりも遠位の位置に当接されていることが好ましい。
【発明の効果】
【０００８】
この発明によれば、竿杆に移動可能に取り付けられた遊動ガイドを竿杆の所定位置に装着する際、装着筒状部が変形したり、装着筒状部及び竿杆の傷付きを防止した状態で、遊動ガイドを竿杆に回り止めをして装着できる。また、竿杆の突部に対して遊動ガイドを装着する際、遊動ガイドの装着筒状部の切り欠き部又は突片の位置関係を確認しながら確実に装着することができる。
【図面の簡単な説明】
【０００９】
【図１】第１の実施の形態に係る振り出し式の釣竿を示す概略図。
【図２】第１の実施の形態に係る振り出し式の釣竿の穂先竿を示す概略図。
【図３】第１の実施の形態に係る振り出し式の釣竿の穂先竿に遊動ガイドを取り付け又は取り外す状態を示す概略図。
【図４】第１の実施の形態に係る振り出し式の釣竿の穂先竿に遊動ガイドを取り付け又は取り外す状態を示す、図３中のＩＶ−ＩＶ線に沿う概略的な縦断面図。
【図５】第１の実施の形態に係る振り出し式の釣竿の穂先竿に遊動ガイドを取り付けた状態から取り外す状態を示す概略図。
【図６】第２の実施の形態に係る振り出し式の釣竿の穂先竿に遊動ガイドを取り付け又は取り外す状態を示す概略図。
【図７】第３の実施の形態に係る振り出し式の釣竿の穂先竿に遊動ガイドを取り付け又は取り外す状態を示す概略図。
【図８】第４の実施の形態に係る振り出し式の釣竿の穂先竿に遊動ガイドを取り付け又は取り外す状態を示す概略図。
【図９】第５の実施の形態に係る振り出し式の釣竿の穂先竿に遊動ガイドを取り付け又は取り外す状態を示す概略図。
【図１０】第６の実施の形態に係る振り出し式の釣竿の穂先竿に遊動ガイドを取り付け又は取り外す状態を示す概略図。
【図１１】第６の実施の形態に係る振り出し式の釣竿の穂先竿に遊動ガイドを取り付け又は取り外す状態を示す、図１０中のＸＩ−ＸＩ線に沿う概略的な縦断面図。
【図１２】第６の実施の形態に係る振り出し式の釣竿の穂先竿の、図１０中のＸＩＩ−ＸＩＩ線に沿う概略的な横断面図。
【発明を実施するための形態】
【００１０】
以下、図面を参照しながらこの発明を実施するための形態について説明する。  
第１の実施の形態について図１から図５を用いて説明する。  
この釣竿１０は、例えば振り出し式の磯上物竿として形成してあり、複数の竿杆１２ａ，１２ｂ，…，１２ｎ−１を順に収納可能な最も大径の元側竿杆１２ｎにリールシート１４を設け、このリールシート１４に魚釣用リール８を取り付けてある。この釣竿１０には、竿杆１２ａ，１２ｂ，…，１２ｎの外面に釣り糸が付着するのを防止する釣糸ガイド１６が、魚釣用リール８と同じ側で、釣竿１０の穂先に向けて所定間隔をおいて固定され、穂先にはトップガイド１６ａが取り付けられている。このような釣糸ガイド１６の個数および配置位置は、図示の例に限らず、任意に設定することが可能である。
【００１１】
なお、釣竿１０は、振り出し式に限らず、いんろう継ぎ、並継ぎあるいは逆並継ぎ等の適宜の継ぎ形式のものであってもよい。また、釣竿１０は複数の竿杆から形成するだけでなく、１本の竿杆でのみ形成してもよい。
【００１２】
この釣竿１０の最も先端に配置した竿杆（以下、穂先竿という）１２ａは、穂先側よりもその後方側が太径になるようにテーパ状に形成されている。穂先竿１２ａは中実又は中空構造に形成してあり、この穂先竿１２ａの先端にトップガイド１６ａが固定されている。この穂先竿１２ａが中空構造である場合、例えば強化繊維に合成樹脂を含浸させた繊維強化プリプレグ（ＦＲＰ）シートを芯金に巻回した後、硬化、脱芯等の通常の工程を経て形成される。一方、穂先竿１２ａが中実構造である場合（図４参照）は、好適な単一材料で形成した中実体で形成し、または、中実体の周部に繊維強化樹脂層を形成した構造であってもよい。なお、穂先竿１２ａは、繊維強化樹脂に代え、その全体又は一部を、例えば超弾性合金等の適宜の金属材料で形成することも可能である。
【００１３】
そして、図１および図２に示すように、穂先竿１２ａには、複数の遊動ガイド（遊動釣糸ガイド）１８が遊嵌されている。そして、穂先竿１２ａのトップガイド１６ａは、複数の遊動ガイド１８が穂先竿１２ａから抜けるのを防止する抜け止めとなっている。なお、ここでは遊動ガイド１８が穂先竿１２ａに配設されているものとして説明するが、他の竿杆に配設されていても良い。
【００１４】
図３から図５に示すように、円形の断面を有する穂先竿１２ａの外表面には、穂先竿１２ａの径方向外方に向かって突出するように、例えば合成樹脂材製の複数の突部２２が形成されている。突部２２は遊動ガイド１８を配置（装着）したい位置の外表面に、例えば穂先竿１２ａの作製に用いるのと同様の合成樹脂、又は、穂先竿１２ａの撓りに従って伸縮可能な合成樹脂を例えば略半球状（略ドーム状）に肉盛り付着させた後、硬化させて形成している。このように突部２２を肉盛り形成すると、突部２２を容易に形成することができるとともに、突部２２と穂先竿１２ａの外表面との間に適度な強度を維持できる。また、穂先竿１２ａの剛性が長手方向で急に変化するのを防止できる。すなわち、突部２２は穂先竿１２ａの竿杆を形成した後に、竿杆の表面に載せた状態に付着して硬化させて形成しているため、竿杆の強度や調子を変化させることを防止するように形成されている。  
そして、突部２２は、穂先竿１２ａ自体に周回して設けたり、穂先竿１２ａを形成する材料を削ったり、穂先竿１２ａの一部を膨出させた構造ではない。
【００１５】
なお、これら突部２２は、穂先竿１２ａのうち、例えばリール８が配設されるとともに釣糸ガイド１６が配設された側であって、穂先竿１２ａの外周面の真っ直ぐな軸上の適宜の位置（遊動ガイド１８を位置決めして装着したい位置）に形成されている。  
また、突部２２は穂先竿１２ａの装飾等を行っても良く、また、突部２２を容易に視認できるように適宜に着色等されていることが好ましい。
【００１６】
突部２２の直径は、遊動ガイド１８の後述する切り欠き部３８の後方側の開口縁部（開口縁）３６ａ側の開口部３８ａの開口量よりも小さく形成されている。また、突部２２の高さ（厚さ）は、図４に示す状態と異なり、装着筒状部３２の肉厚と同じか、それよりも薄く形成されていることが好ましい。  
また、各突部２２同士の大きさ（例えば直径や厚さ）は同じでも良く、異なっていても良い。異なっている場合、穂先側の突部２２はそれよりも後方側の突部２２よりも小さく形成されていることが好ましい。
【００１７】
穂先竿１２ａに遊嵌される遊動ガイド１８は、穂先竿１２ａの竿杆が挿通されて穂先竿１２ａに移動可能に取り付けられる例えば合成樹脂製の装着筒状部３２と、釣糸（図示せず）をガイドするガイドリング３４とを備えている。穂先竿１２ａに遊嵌された遊動ガイド１８の装着筒状部３２は、穂先竿１２ａのテーパ角度に沿って、後方側の開口縁部３６ａの内径が前方側の開口縁部３６ｂの内径に対して大径の略円筒状に形成されている。
【００１８】
各遊動ガイド１８の装着筒状部３２の平均内径は異なっており、穂先側に装着される遊動ガイド１８の装着筒状部３２の平均内径が後方側に装着される遊動ガイド１８の装着筒状部３２の平均内径に比べて次第に小さくなっている。このため、遊動ガイド１８の装着筒状部３２の平均内径の大きさによっては、穂先竿１２ａの突部２２を通り過ぎることができる。
【００１９】
穂先竿１２ａがテーパ状であり、遊動ガイド１８の装着筒状部３２の内周面が穂先竿１２ａのテーパ角度と同角度のテーパ状であるため、遊動ガイド１８の装着筒状部３２は両者のテーパによる径が合致する所定位置で長手方向後方側の移動が阻止される。すなわち、遊動ガイド１８は穂先竿１２ａの所定位置に装着される。このため、遊動ガイド１８の装着筒状部３２は穂先竿１２ａの長手方向に沿って、移動可能な遊嵌状態でトップガイド１６ａに近接する側とその遊動ガイド１８が移動が規制されて装着（位置決めして装着）される位置（突部２２が形成された位置）までの間を移動可能である。
【００２０】
装着筒状部３２の後方側の開口縁部３６ａには、開口縁部３６ａに開口部３８ａを有し穂先竿１２ａの長手方向前方側に向かって延びる切り欠き部３８が形成されている。切り欠き部３８は、例えば装着筒状部３２の周方向にてガイドリング３４側やガイドリング３４の反対側等、各遊動ガイド１８の装着筒状部３２の同じ位置に形成されている。  
なお、図３から図５中、装着筒状部３２に対するガイドリング３４の位置が、装着筒状部３２の前方側に配置された状態にあるが、切り欠き部３８が形成できる状態であれば、前方側に限ることはない。
【００２１】
切り欠き部３８は後方側の開口縁部３６ａに形成された開口部３８ａにおいて最も幅広であり、前方側の最奥部３８ｂに向かうにつれて次第に狭くなって閉塞されている。このように形成することによって、穂先竿１２ａに対する遊動ガイド１８の保持力（移動を規制する力）を大きくするにつれて穂先竿１２ａの周方向への遊動ガイド１８の回動を確実に制限することができる。  
なお、切り欠き部３８の縁部３８ｃは、開口部３８ａから前方側（最奥部３８ｂ）に向かうにつれて狭くなっている。縁部３８ｃは、開口部３８ａから最奥部３８ｂに向かって真っ直ぐに形成されていても良いが、図３に示すように曲面状（湾曲面状）に形成するのが好ましい。  
そして、切り欠き部３８の最奥部３８ｂは曲面状に形成されているので、切り欠き部３８の最奥部３８ｂに応力集中することが防止されている。  
また、この実施の形態では、縁部３８ｃは穂先竿１２ａの長手方向軸に対して対称に形成されている。
【００２２】
遊動ガイド１８を穂先竿１２ａに対して装着（位置決め）する場合、穂先竿１２ａを後端側の竿杆１２ｂに対して伸ばしながら釣竿１０を立てるなどして、遊動ガイド１８を穂先側から後端側に移動させる。このとき、複数の遊動ガイド１８のうち、装着筒状部３２の内径に対して、穂先竿１２ａの突部２２が形成された部分の外径が小さい場合、遊動ガイド１８の装着筒状部３２はその突部２２の上を通り過ぎて、さらに後方側の突部２２に向かう。
【００２３】
そして、穂先竿１２ａの外周面および遊動ガイド１８の装着筒状部３２の内周面は同角度のテーパ状に形成されているので、遊動ガイド１８が取り付けられる突部２２よりもやや穂先側で遊動ガイド１８の装着筒状部３２の内周面と穂先竿１２ａの外周面との径の差が小さくなって両者の間の隙間が目視できなくなるほど小さくなり、装着筒状部３２の内周面と穂先竿１２ａの外周面が次第に強く接して徐々に移動が阻止される。すなわち、穂先竿１２ａに対して遊動ガイド１８が仮止めされる。
【００２４】
仮止めした遊動ガイド１８を指で摘むなどして、穂先竿１２ａの突部２２を目視や手触り等で知覚しながら遊動ガイド１８の装着筒状部３２の切り欠き部３８を穂先竿１２ａの突部２２に対峙させる（図３および図４中の２点鎖線参照）。そして、突部２２の位置を保った状態で遊動ガイド１８を穂先竿１２ａの後端側の装着領域に移動させる。このとき、穂先竿１２ａの突部２２の直径は遊動ガイド１８の切り欠き部３８の開口部３８ａの幅に対して小さく形成されているので、遊動ガイド１８の切り欠き部３８の開口部３８ａから最奥部３８ｂに向かって突部２２が受け入れられるとともに、穂先竿１２ａの外周面および遊動ガイド１８の装着筒状部３２の内周面との係合力が増す。
【００２５】
なお、突部２２の位置を保った状態で遊動ガイド１８を穂先竿１２ａの後端側に移動させる際に穂先竿１２ａの突部２２が遊動ガイド１８の切り欠き部３８の開口部３８ａに当接されてしまった場合であっても、突部２２の一部が受け入れられれば、切り欠き部３８の縁部３８ｃの形状にしたがって穂先竿１２ａに対して遊動ガイド１８が回動しながら突部２２を受け入れていく。すなわち、突部２２に対して切り欠き部３８が偏って配置されている場合であっても、切り欠き部３８の縁部３８ｃは軸対称に形成され、かつ、穂先竿１２ａの長手方向軸に対し斜め方向に形成され、さらに湾曲しているため、切り欠き部３８を突部２２の中央に合わせるように移動させることができる。
【００２６】
また、突部２２の一部が切り欠き部３８内に入れば良く、突部２２が縁部３８ｃに当接していなくても遊動ガイド１８が回動しそうになるとすぐに突部２２が縁部３８ｃに当接して回動が規制されるような係合状態でも良い。
【００２７】
このように、穂先竿１２ａの突部２２を遊動ガイド１８の切り欠き部３８の開口部３８ａから縁部３８ｃに沿って最奥部３８ｂに向かって受け入れつつ、遊動ガイド１８を穂先竿１２ａに対して真っ直ぐに、又は回動させながら後方に移動させることができる。このため、穂先竿１２ａの突部２２が遊動ガイド１８の切り欠き部３８内に配置されて、穂先竿１２ａに対して遊動ガイド１８が位置決めされた状態で装着される。
【００２８】
このとき、装着筒状部３２が完全な筒状である場合よりも装着筒状部３２の切り欠き部３８がある（開口部３８ａが形成されている）ことによって無理な変形でなく弾性変形し易く、遊動ガイド１８を穂先竿１２ａのより後端側に装着することができる。すなわち、装着筒状部３２と穂先竿１２ａとの間には無理な力が加えられることが防止されるので、穂先竿１２ａの外周面や装着筒状部３２の傷付きも防止される。  
そして、切り欠き部３８は開口縁部３６ａ側から奥側に向かって次第に狭くなるように形成されているので、突部２２が切り欠き部３８の奥側に向かう程、遊動ガイド１８の装着筒状部３２の回動がより規制され動き難い係合状態となる。したがって、穂先竿１２ａに対する遊動ガイド１８の保持力を増すことができる。
【００２９】
このように位置決めされた状態で装着された遊動ガイド１８は、穂先竿１２ａの突部２２を切り欠き部３８に受け入れ、かつ、穂先竿１２ａに対する遊動ガイド１８の係合力を増しているので、実釣時に穂先竿１２ａが撓ったり、釣糸によってガイドリング３４を介して装着筒状部３２に力（周方向の力）が加えられたとしても、突部２２により穂先竿１２ａに対する遊動ガイド１８の周方向の回動が規制され十分に回り止めされているので、遊動ガイド１８が穂先竿１２ａに対して弛んだり、回動することがより確実に防止される。
【００３０】
一方、穂先竿１２ａに遊動ガイド１８を装着した状態を解除する場合、遊動ガイド１８を指で摘んで、穂先竿１２ａに対して周方向に回しながら、図５中に矢印にて示すように、相対的に穂先側に移動させる。このとき、縁部３８ｃは穂先竿１２ａの軸長方向に対し斜め方向に形成されているため、突部２２との接触を避けるように移動するが、縁部３８ｃが湾曲状に形成されていると図５中の矢印で示した遊動ガイド１８の移動時の螺旋状の軌道に合致して突部２２をより確実に迂回して移動する。さらに、切り欠き部３８は最奥部３８ｂから開口部３８ａに向かって次第に広げられ、弾性変形量を次第に小さくすることによって、保持力を弱め、穂先竿１２ａと遊動ガイド１８との係合を解除できる。このとき、突部２２を切り欠き部３８の縁部３８ｃに沿って移動させることができる。したがって、保持力解除の力を確実に穂先竿１２ａに伝達して、遊動ガイド１８を穂先竿１２ａから位置決め装着した状態を解除できる。
【００３１】
なお、図３から図５に示すように、切り欠き部３８は遊動ガイド１８のガイドリング３４の真下であってガイドリング３４に近接する側に形成されているものとして説明したが、ガイドリング３４に対して離れた側や、適当な角度をもって周方向に傾斜した側に形成されていることも好ましい。この場合、穂先竿１２ａに形成された突部２２も遊動ガイド１８のガイドリング３４の切り欠き部３８に対応して適宜の位置に形成されている。また、切り欠き部３８はガイドリング３４の例えば真下の位置であって、ガイドリング３４に近接する位置と離れた位置の両者に形成されていることも好ましい。この場合、突部２２は穂先竿１２ａの同一周に例えば２つ形成される。
【００３２】
突部２２は釣竿１０の使用により減る（次第に削られる）ことがあるが、突部２２は竿杆の外周に肉盛り等されて形成される部分であり、竿杆の構造に影響を受けない部分である。そして、使用により突部２２が薄肉となった場合は残りの突部２２を削るなどして除去した後、再度合成樹脂等を略ドーム状に肉盛り等して容易に補修（再作製）することができる。
【００３３】
次に、第２の実施の形態について図６を用いて説明する。この実施の形態は第１の実施の形態の変形例である。  
図６に示すように、この実施の形態に係る遊動ガイド１８の装着筒状部３２の切り欠き部３８は、長溝状に形成されている。ここでは切り欠き部３８の縁部３８ｃは、穂先竿１２ａの長手軸に平行であり、かつ、穂先竿１２ａの長手軸に対して対称に形成されている。
【００３４】
切り欠き部３８の縁部３８ｃと装着筒状部３２の開口縁部３６ａとは、切り欠き部３８の開口部３８ａが面取り等されて、滑らかな曲面状に連続して形成されている。このため、開口部３８ａは突部２２の直径よりも広げられた部分があり、穂先竿１２ａの突部２２を受け入れ易い。  
一方、最奥部３８ｂは、例えば突部２２の直径と同じか僅かに大きい又は小さい直径を有する半円状に形成されている。
【００３５】
なお、切り欠き部３８の縁部３８ｃのうち、開口縁部３６ａに近接する縁部３８ｃは、開口縁部３６ａに対して滑らかな曲面状に形成されている。このため、切り欠き部３８の縁部３８ｃは、略ドーム状の突部２２を受け入れ易くなっている。  
突部２２が切り欠き部３８に挿入されたとき、突部２２が切り欠き部３８の最奥部３８ｂに近接するほど狭くなる切り欠き部３８のテーパにより突部２２との係合力を増すことができるとともに、装着筒状部３２が穂先竿１２ａの太径部側に移動することによる装着筒状部３２の弾性変形によっても遊動ガイド１８の穂先竿１２ａに対する保持力を増すことができる。
【００３６】
次に、第３の実施の形態について図７を用いて説明する。この実施の形態は第１および第２の実施の形態の変形例である。  
図７に示すように、装着筒状部３２の切り欠き部（凹部）３８は、突部２２の直径と同じか僅かに大きい直径を有する半円状に形成されている。このため、開口部３８ａは穂先竿１２ａの突部２２を容易に受け入れることができ、穂先竿１２ａに対する遊動ガイド１８の位置を容易に位置決めすることができる。
【００３７】
次に、第４の実施の形態について図８を用いて説明する。この実施の形態は第１および第２の実施の形態の変形例である。  
図８に示すように、この実施形態の切り欠き部３８は、穂先竿１２ａの長手方向に対して斜めに傾斜している。そして、開口部３８ａに対する最奥部３８ｂの位置は、穂先竿１２ａの長手方向に対して傾斜している。図８では、開口部３８ａから最奥部３８ｂの中心軸を通る部分までの長さが、穂先側を前側に見たときに左側の縁部３８ｃＬが右側の縁部３８ｃＲに比べて長く形成されている。また、左側の縁部３８ｃＬと開口縁部３６ａとは、鈍角であり、例えばほぼ滑らかな曲面状に形成されているが、右側の縁部３８ｃＲと開口縁部３６ａとは９０度以下の鋭角に形成されている。
【００３８】
そして、切り欠き部３８は、開口縁部３６ａ側が開口量が大きく、奥側に向かって湾曲しながら次第に幅が狭くなっている。このため、突部２２を切り欠き部３８の最奥部３８ｂに近接させるにつれて係合力を増すことができる。  
なお、穂先竿１２ａに対する遊動ガイド１８の装着筒状部３２の係合を解除する場合、切り欠き部３８の方向に沿って係合を解除すれば良い。
【００３９】
この実施の形態では、左側の縁部３８ｃＬが右側の縁部３８ｃＲに対して長い場合について説明したが、逆であっても良いことはもちろんである。
【００４０】
次に、第５の実施の形態について図９を用いて説明する。この実施の形態は第１および第３の実施の形態の変形例である。  
遊動ガイド１８の後方側の開口縁部３６ａには、開口縁部３６ａに対して後方側に突出する突片５２が一体的に形成されている。突片５２は、略三角形状の１対の山型部５４ａ，５４ｂを有する。山型部５４ａ，５４ｂは、山型部５４ａ，５４ｂのうち互いに近接する部分が略１／８円弧状に形成されている。そして、これら山型部５４ａ，５４ｂは略１／４円弧を形成するように隣接して配置されている。すなわち、突片５２は、突部２２を受け入れるように山型部５４ａ，５４ｂによって略半円状の凹部５６が形成されている。
【００４１】
図９に示すように、遊動ガイド１８を２点鎖線の部分から実線の部分に穂先竿１２ａに対して移動させる場合、凹部５６は突部２２を受け入れる。このとき、１対の山型部５４ａ，５４ｂによって遊動ガイド１８が穂先竿１２ａの周方向に回動することが防止される。
【００４２】
なお、この実施の形態では、凹部５６の最奥部が遊動ガイド１８の後方側の開口縁部３６ａに一致するが、第１から第４の実施の形態で説明した切り欠き部３８と同様に、凹部５６の最奥部が遊動ガイド１８の後方側の開口縁部３６ａに対して前方側（開口縁部３６ｂ側）にあっても良い。  
また、上述したように、突片５２が一体的であると説明したが、別体で形成されていても良いことはもちろんである。
【００４３】
また、凹部５６や上述した実施の形態で説明した切り欠き部３８と突部２２は互いに動かないように係合しても良いが、遊動ガイド１８を移動させながら容易に係合、解除できるようにするため、突部２２の大きさに対して間口等に余裕が必要になる。穂先竿１２ａに対して位置決め装着した遊動ガイド１８が多少回動しても、凹部５６や上述した切り欠き部３８と突部２２とが互いに当接して回動が阻止されるように係合していれば良い。すなわち、ここでいう「係合」には、突部２２が余裕を持って切り欠き部３８や突片５２の凹部５６内に入り込んでいる（係合している）ものを含む。
【００４４】
次に、第６の実施の形態について図１０から図１２を用いて説明する。この実施の形態は第１から第５の実施の形態の変形例である。  
図１０および図１２に示すように、穂先竿１２ａの外周面には、周方向に並設された１対の突部２２ａ，２２ｂが形成されている。突部２２ａ，２２ｂは適宜の間隔に形成されている。図１１に示すように、突部２２ａ，２２ｂは略半球状（略ドーム状）に硬化させて形成している。
【００４５】
一方、遊動ガイド１８の装着筒状部３２の後方側の開口縁部３６ａには、突片（尖頭部）６２が一体的に形成されている。突片６２は略三角形状（略尖頭状）に形成されている。図１１に示すように、突片６２に釣糸等が引っ掛かるのをできるだけ防止するように、開口縁部３６ａから離れるに従って次第に薄肉となっている。
【００４６】
図１０および図１１に示すように、遊動ガイド１８を穂先側（２点鎖線部参照）から後方側（実線部参照）に移動させると、突片６２を１対の突部２２ａ，２２ｂの間に入れることができる。このとき、突片６２は突部２２ａ，２２ｂのうち開口縁部３６ａに対して最も近接する位置よりも遠位の位置に当接される。このため、遊動ガイド１８が穂先竿１２ａの周方向に移動するのを防止できる。  
これまで、いくつかの実施の形態について図面を参照しながら具体的に説明したが、この発明は、上述した実施の形態に限定されるものではなく、その要旨を逸脱しない範囲で行なわれるすべての実施を含む。
【符号の説明】
【００４７】
１０…釣竿、１２ａ…穂先竿、１８…遊動ガイド、２２…突部、３２…装着筒状部、３４…ガイドリング、３６ａ…後方側の開口縁部、３６ｂ…穂先側の開口縁部、３８…切り欠き部、３８ａ…開口部、３８ｂ…最奥部、３８ｃ…縁部。
【図１】
2011010577.tif 000003
【図２】
2011010577.tif 000004
【図３】
2011010577.tif 000005
【図４】
2011010577.tif 000006
【図５】
2011010577.tif 000007
【図６】
2011010577.tif 000008
【図７】
2011010577.tif 000009
【図８】
2011010577.tif 000010
【図９】
2011010577.tif 000011
【図１０】
2011010577.tif 000012
【図１１】
2011010577.tif 000013
【図１２】
2011010577.tif 000014